(57)【要約】【課題】  車体側からスライドドア側へ渡るワイヤハーネスまたはそれを収容するコルゲートチューブがスライドドアやブラケットの側面に接触して損傷を受けるのを回避できるスライドドア用給電装置の保護構造を提供する。【解決手段】  保護部材１は、ブラケットの底部上面を覆う略長方形の形状を有する平板部２と、平板部２の一端に設けられた反り部３を備える。反り部３は、下側に反るように設けられる。この保護部材１がスライドドアに取り付けられることにより、スライドドア用給電装置の保護構造が好適に実現される。なお、スライドドア用給電装置の保護構造は、ブラケットの底部上面に樹脂被覆を施すことなどによっても実現される。【選択図】      図１
2007269136.tif 000002
【特許請求の範囲】
【請求項１】
車体側に固定される車体側固定ユニットと、スライドドア側に固定されるドア側固定ユニットと、両端にコネクタを有し前記車体側固定ユニットと前記ドア側固定ユニットとを経由して前記車体側から前記スライドドア側へ配索されるフラットケーブルとを備えたスライドドア用給電装置を使用する際に用いられるスライドドア用給電装置の保護構造であって、
前記スライドドアを車体に連結するブラケットの底部上面の少なくとも一部にカバーが設けられていることを特徴とするスライドドア用給電装置の保護構造。
【請求項２】
前記カバーは、前記ブラケットの底部上面にねじ等の固定手段で取り付けられていることを特徴とする、請求項１記載のスライドドア用給電装置の保護構造。
【請求項３】
前記カバーは、前記ブラケットの底部上面に被覆されていることを特徴とする、請求項１記載のスライドドア用給電装置の保護構造。
【請求項４】
前記フラットケーブルは可撓性を有する電線保護管に収容されていることを特徴とする、請求項１から請求項３のいずれかに記載のスライドドア用給電装置の保護構造。
【発明の詳細な説明】
【技術分野】
【０００１】
本発明は、自動車の車体側からスライドドア内の機器に常時給電や信号伝送を行うスライドドア用給電装置を保護するために設けられるスライドドア用給電装置の保護構造に関するものである。
【背景技術】
【０００２】
ワンボックスカーやワゴン車等に用いられているスライドドア内には、パワーウィンドモーター、スイッチ、スピーカー等の機器が組み込まれている。これらの機器に、車体側から給電を行うためには、車体側からスライドドア側へ電線（ワイヤハーネス）を配索すると共に、この電線がスライドドアの開閉に追従できるようにする必要がある。ワイヤハーネスとして、従来から高屈曲性の丸線が使用されている。
【０００３】
従来、この種のスライドドア用給電装置としては、車体側に電線巻き取りユニットを設置し、スライドドアの開閉に伴う電線の余長を、前記電線巻き取りユニットで巻き取ることによって吸収する方式が公知である（特許文献１参照）。
【０００４】
また他の方式のスライドドア用給電装置としては、車体側の所定位置とスライドドア間に、ワイヤハーネスを収容したコルゲートチューブを、屈曲の余裕をもたせて配索し、このコルゲートチューブの一方の端部をスライドドアに固定し、他方の端部付近を車体に取り付けられた金具により横方向に首振り可能に支持したものも公知である（特許文献２参照）。
【０００５】
【特許文献１】特開平１１−９３５１４号公報
【特許文献２】特開２００２−７９８９２号公報
【発明の開示】
【発明が解決しようとする課題】
【０００６】
しかしながら、特許文献１記載のスライドドア用給電装置は、電線が巻き取りユニットから裸のまま繰り出される構造であるので、電線がスライドレールなどと擦れ合って衝撃音を発したり損傷を受けたりするおそれがある。
【０００７】
また特許文献２記載のスライドドア用給電装置は、ワイヤハーネスがコルゲートチューブに収容されているためワイヤハーネス自体が損傷を受けるおそれは少ないが、コルゲートチューブが下方向に弛んで、スライドドアやその下部に取付けられたブラケットの底部上面と接触し、異音を発生したり、コルゲートチューブが損傷を受けたりするおそれがある。
【０００８】
そこで、本発明はこれらの問題を解決するため、車体側からスライドドア側へ渡るワイヤハーネスを収容するコルゲートチューブ等の電線保護管がスライドドアやその下部に取付けられたブラケットの底部上面に接触し、異音を発生したり、損傷を受けたりすることを回避できるスライドドア用給電装置の保護構造を提供することを目的とする。
【課題を解決するための手段】
【０００９】
本発明の第１の解決手段は、車体側に固定される車体側固定ユニットと、スライドドア側に固定されるドア側固定ユニットと、両端にコネクタを有し前記車体側固定ユニットと前記ドア側固定ユニットとを経由して前記車体側から前記スライドドア側へ配索されるフラットケーブルとを備えたスライドドア用給電装置を使用する際に用いられるスライドドア用給電装置の保護構造であって、前記スライドドアを車体に連結するブラケットの底部上面の少なくとも一部にカバーが設けられていることを特徴とする。
【００１０】
本発明の第２の解決手段は、前記第１の解決手段において、前記カバーは、前記ブラケットの底部上面にねじ等の固定手段で取り付けられていることを特徴とする。
【００１１】
本発明の第３の解決手段は、前記第１の解決手段において、前記カバーは、前記ブラケットの底部上面に被覆されていることを特徴とする。
【００１２】
本発明の第４の解決手段は、前記第１から第３の解決手段において、前記フラットケーブルは可撓性を有する電線保護管に収容されていることを特徴とする。
【発明の効果】
【００１３】
本発明のスライドドア用給電装置の保護構造によれば、ブラケットの底部上面の少なくとも一部にカバーが設けられているため、前記フラットケーブルおよび前記電線保護管がスライドドアやブラケットの底部上面に当たって音を発したり損傷を受けたりすることを防止することが可能となる。
【発明を実施するための最良の形態】
【００１４】
図面を参照して本発明の好ましい実施の形態におけるスライドドア用給電装置の保護構造について詳細に説明する。なお、同一機能を有する各構成部については、図示及び説明簡略化のため、同一符号を付して示す。
【００１５】
図１は、本発明の実施形態のスライドドア用給電装置の保護構造に用いられる保護部材の一例を示す図であり、図１（ａ）は斜視図、図１（ｂ）は平面図、図１（ｃ）は側面図を示す。保護部材１は、ブラケットの底部上面の少なくとも一部を覆うものであって、略長方形の形状を有する平板部２と、平板部２の一端に設けられた反り部３を備えている。この反り部３は、下方向に反るようにして設けられている。
【００１６】
そして、上記の保護部材を、ブラケットのスライドドア側据付部側面の少なくとも一部に取り付けることにより、スライドドア用給電装置のケーブル部分がスライドドアまたはブラケットに直接接触するのを防止することが可能となる。
【００１７】
次に、本発明の実施形態のスライドドア用給電装置の保護構造に用いられる保護部材が適用されるスライドドア用給電装置の一例を、図２を用いて説明する。なお、図２に示されるスライドドア用給電装置は、必要最小限の構成のみを示したものであって、たとえば車体側を車体に取り付けられた金具により横方向に首振り可能に支持したものであってもよく、電線巻き取りユニットが設けられているものであってもよいことはいうまでもない。
【００１８】
スライドドア用給電装置１１は、車体の所定位置に固定される車体側固定ユニット２０と、スライドドアの所定位置に固定されるドア側固定ユニット３０とを備えており、車体側固定ユニット２０とドア側固定ユニット３０との間には、車体側からスライドドア側に電力供給するワイヤハーネスとして、フラットケーブル４０が配設されている。
【００１９】
図２に示されるスライドドア用給電装置１１において、フラットケーブル４０は、車体側に接続するためのコネクタ４１と、スライドドア側に接続するためのコネクタ４２を両端に有する。
【００２０】
フラットケーブル４０は、１本であってもよいし２本以上を束ねたものであってもよい。図２では、フラットケーブル４０を複数本束ねて配索した実施例を示している。複数本のフラットケーブル４０は、コネクタ４１とコネクタ４２のそれぞれに一体化して接続されている。
【００２１】
車体側固定ユニット２０は、前記車体の所定位置に固定されて、フラットケーブル４０のコネクタ４１側の端部を保持する役割を有している。すなわち、フラットケーブル４０のコネクタ４１側の端部を挿入口２１に挿入し、ケーブルバンド２２で固定するようにしている。フラットケーブル４０は、余長収納部２３を経由して、車体側固定ユニット２０の配線出口２４から前記車体に配索される。
【００２２】
ドア側固定ユニット３０は、配線取出部３１、ドアホルダー３２、ホルダーカバー３３を含んで構成される。フラットケーブル４０のコネクタ４２側の端部は、図示しないケーブルバンドで配線取出部３１に固定されている。フラットケーブル４０は、配線取出部３１を経由して、スライドドアに配索されるように構成されている。
【００２３】
配線取出部３１は、ドアホルダー３２の所定の位置に固定されており、ドアホルダー３２とともにホルダーカバー３３で覆われている。ホルダーカバー３３は、フラットケーブル４０が小石や水等で損傷されるのを保護するためのものであり、ドアホルダー３２とホルダーカバー３３を一体にして前記ドアパネルに固定される。ここで、ホルダーカバー３３と前記スライドドアのドアパネルとの隙間からドア内部に水が浸入しないよう、ホルダーカバー３３と前記ドアパネルとの間に図示しない防水シールを挿入してもよい。
【００２４】
スライドドア用給電装置１１は、車体側固定ユニット２０とドア側固定ユニット３０との間に、フラットケーブル４０を断面が垂直方向に縦長になるように配設したことにより、フラットケーブル４０が水平方向に高い可撓性を有し、そのため水平方向には比較的自由に移動できる構造となっている。
【００２５】
また、スライドドア用給電装置１１は、フラットケーブル４０が、両端を車体側固定ユニット２０とドア側固定ユニット３０で保持されているのみで、中間部分を保持するものは設けられていない。したがって、その構造上、コルゲートチューブ４０の水平方向への移動量が大きくなることが考えられる。
【００２６】
そこで、図１に示されるような保護部材１をブラケットのスライドドア側据付部側面の少なくとも一部に取り付けてスライドドア用給電装置の保護構造として用いることにより、図２に示されるようなスライドドア用給電装置１１のフラットケーブル４０が水平方向に移動してスライドドアまたはブラケットの側面に接触して損傷したり異音を発したりすることを防止することが可能となる。
【００２７】
なお、本発明の実施形態のスライドドア用給電装置の保護構造に用いられる保護部材が適用されるスライドドア用給電装置は、図２に示されるものに限らず、図３に示されるようなものとすることもできる。図３は、本発明の実施形態のスライドドア用給電装置の保護構造に用いられる保護部材が適用されるスライドドア用給電装置の他の一例を示す斜視図である。図３において、図２と異なる点は、フラットケーブル４０の外部を覆う電線保護材としてコルゲートチューブ５０が設けられていることであり、それ以外の点は図２と同様である。
【００２８】
ここで、図１に示される保護部材１がスライドドアに設置された状態を図４に示す。図４において、スライドドア６１の下部にスライドドア用給電装置１１（１２）のドア側固定ユニット３０が設置され、ドア側固定ユニット３０の設置位置より前方にブラケット６２が設置され、ブラケット６２は据付部６３においてスライドドア６１に固定されている。なお、６４はブラケット６２の据付部６３をスライドドア６１に固定するボルトであり、６５はブラケット６２の底部上面、６６はブラケット６２の底部上面６５をスライドドア６１に固定するボルトである。
【００２９】
保護部材１は、ブラケット６２の底部上面６５に取り付けられる。より詳しくは、平板部２の平面がブラケット６２の底部上面６５と平行となり、平板部２の長辺方向が車両の前後方向を向き、さらに反り部３が車両の後方向きになるよう保護部材１をブラケット６２の底部上面６５の側面に取り付ける。
【００３０】
保護部材１を上記のようにブラケット６２の底部上面６５に取り付けることにより、スライドドア６１を開閉したとき、フラットケーブル４０（またはコルゲートチューブ５０）が直接ブラケット６２の底部上面６５に当たるのを避け、保護部材１の平板部２にフラットケーブル４０（またはコルゲートチューブ５０）が接するようにすることができる。これにより、フラットケーブル４０（またはコルゲートチューブ５０）がブラケット６２の底部上面６５に当たって音を発するのを防止することが可能となる。
【００３１】
また、スライドドア用給電装置の保護構造は、図４に示されるようなものに限らず、図５に示されるように、ブラケット６２の底部上面６５に樹脂等を被覆して樹脂被覆部７１を形成することもできる。なお、図５において、樹脂被覆部７１はボルト６６を覆うように形成されているが、スライドドア用給電装置１１（１２）のフラットケーブル４０（またはコルゲートチューブ５０）がボルト６６に接触するおそれがない場合は、樹脂被覆部７１によりボルト６６を覆う必要はない。
【００３２】
なお、本発明の実施形態は、上述したものに限られない。たとえば、本発明のスライドドア用給電装置の保護構造は、前述の各特許文献に示されたスライドドア用給電装置を保護するためにも用いることが可能である。
【図面の簡単な説明】
【００３３】
【図１】本発明の実施形態のスライドドア用給電装置の保護構造に用いられる保護部材の一例を示す図であって、図１（ａ）は斜視図、図１（ｂ）は平面図、図１（ｃ）は側面図である。
【図２】本発明の実施形態のスライドドア用給電装置の保護構造が適用されるスライドドア用給電装置の一実施例を示す斜視図である。
【図３】本発明の実施形態のスライドドア用給電装置の保護構造が適用されるスライドドア用給電装置の他の一例を示す斜視図である。
【図４】本発明の実施形態のスライドドア用給電装置の保護構造の一例を示す図である。
【図５】本発明の実施形態のスライドドア用給電装置の保護構造の他の一例を示す図である。
【符号の説明】
【００３４】
１・・・保護部材
２・・・平板部
３・・・反り部
１１、１２・・・スライドドア用給電装置
２０・・・車両側固定ユニット
２１・・・挿入口
２２・・・ケーブルバンド
２３・・・余長収納部
２４・・・配線出口
３０・・・ドア側固定ユニット
３１・・・配線取出部
３２・・・ドアホルダー
３３・・・ホルダーカバー
３４・・・防水シール
４０・・・フラットケーブル
４１、４２・・・コネクタ
５０・・・コルゲートチューブ
６１・・・スライドドア
６２・・・ブラケット
６３・・・据付部
６４・・・ボルト
６５・・・底部上面
６６・・・ボルト
７１・・・樹脂被覆部
【図１】
2007269136.tif 000003
【図２】
2007269136.tif 000004
【図３】
2007269136.tif 000005
【図４】
2007269136.tif 000006
【図５】
2007269136.tif 000007